(57)【要約】【課題】使用者に不快感を与えない画面の切り換え動作を可能とする表示装置を提供する。【解決手段】本発明に係る表示装置は、複数の画素電極を有する第１基板と、共通電極を有する第２基板との間に、帯電粒子を分散させた液体を封入し、共通電極と画素電極間に電圧を印加することにより、印加電圧の極性に応じて帯電粒子を移動させ表示を行う表示部(103)と、表示部に供給する印加電圧の制御を行う駆動部と、表示部の状態を検出するセンサ部とを有し、センサ部(33)は、表示部を裏返す操作を検出すると、検出信号を駆動部に送信し、駆動部は、検出信号を受信すると、それまで表示していた内容を表示領域全体に渡って消去し、その後新たな表示内容の書き込みを行う。かかる構成によれば、表示部を裏返す動作に対応して画面の切り換えを行うことができるため、使用者の不快感を低減できる。【選択図】図６
2009251009.tif 000002
【特許請求の範囲】
【請求項１】
複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、
前記センサ部は、前記表示部を裏返す操作を検出すると、検出信号を前記駆動部に送信し、
前記駆動部は、前記検出信号を受信すると、それまで表示していた内容を表示領域全体に渡って消去し、その後新たな表示内容の書き込みを行うことを特徴とする表示装置。
【請求項２】
第１面に前記表示部を有し、前記第１面と逆側の面に他の表示部を有することを特徴とする請求項１記載の表示装置。
【請求項３】
複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、
前記センサ部は、前記表示部上にカバーを閉じる操作を検出すると、検出信号を前記駆動部に送信し、
前記駆動部は、前記検出信号を受信すると、それまで表示していた内容を表示領域全体に渡って消去し、その後新たな表示内容の書き込みを行うことを特徴とする表示装置。
【請求項４】
第１面に前記表示部を有し、前記第１面と逆側の面に他の表示部を有することを特徴とする請求項３記載の表示装置。
【請求項５】
前記カバーの前記表示部側の面には、他の表示部が配置されていることを特徴とする請求項３記載の表示装置。
【請求項６】
複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、
前記センサ部は、前記表示部を覆う動作を検出すると、検出信号を前記駆動部に送信し、
前記駆動部は、前記検出信号を受信すると、それまで表示していた内容を表示領域全体に渡って消去し、その後新たな表示内容の書き込みを行うことを特徴とする表示装置。
【発明の詳細な説明】
【技術分野】
【０００１】
本発明は、表示装置、特に、電気泳動表示装置の表示内容の書き換え（消去／書き込み）に関する。
【背景技術】
【０００２】
一般に、液体中に帯電した微粒子を分散させた分散系に電界を作用させると、微粒子は、クーロン力により液体中で移動（泳動）する。この現象を電気泳動といい、この電気泳動を利用して、所望の情報（画像）を表示させる電気泳動表示装置が新たな表示装置として注目を集めている。
【０００３】
この電気泳動表示装置は、電圧の印加を停止した状態での表示メモリ性や広視野角性を有し、また、低消費電力で高コントラストの表示が可能である等の特徴を備えている。
【０００４】
例えば、下記特許文献１および２には、装置特性を向上させることができる書き込み／消去方法に関する技術が開示されている。
【特許文献１】特開２００２−１４９１１５号公報
【特許文献２】特開２００３−８４３１４号公報
【発明の開示】
【発明が解決しようとする課題】
【０００５】
本発明者は、電気泳動表示装置に関する研究開発を行っており、操作が簡単で見易い表示装置の検討を行っている。
【０００６】
しかしながら、追って詳細に説明するように、書き込み／消去方法において、例えば、全面黒消去と全面白消去を繰り返すと、表示画面が黒くなったり白くなったりする（フラッシングする）。よって、画面の切り換えにおいて、使用者が不快感を覚えるという不都合があった。
【０００７】
そこで、本発明に係る具体的態様は、使用者に不快感を与えない画面の切り換え動作を可能とする表示装置を提供することを目的とする。
【課題を解決するための手段】
【０００８】
本発明に係る表示装置は、複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、前記センサ部は、前記表示部を裏返す操作を検出すると、検出信号を前記駆動部に送信し、前記駆動部は、前記検出信号を受信すると、それまで表示していた内容を表示領域全体に渡って消去し、その後新たな表示内容の書き込みを行うことを特徴とする。
【０００９】
かかる構成によれば、表示部を裏返す動作に対応して画面の切り換えを行うことができるため、使用者の不快感を低減できる。また、表示部を裏返す操作は、あたかも書籍などにおいてページを捲る動作に類似するため、使用者に動作の違和感を与えることなくスムーズな画面の切り換えを行うことができる。
【００１０】
例えば、上記表示装置は、第１面に前記表示部を有し、前記第１面と逆側の面に他の表示部を有する。
【００１１】
かかる構成によれば、表示部を裏返す動作に対応して他の表示部が表となるため、よりスムーズな画面切り換えを行うことができる。
【００１２】
本発明に係る表示装置は、複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、前記センサ部は、前記表示部上にカバーを閉じる操作を検出すると、検出信号を前記駆動部に送信し、前記駆動部は、前記検出信号を受信すると、それまで表示していた内容を表示領域全体に渡って消去し、その後新たな表示内容の書き込みを行うことを特徴とする。
【００１３】
かかる構成によれば、表示部上にカバーを閉じる操作に対応して画面の切り換えを行うことができるため、使用者の不快感を低減できる。また、カバーを閉じる操作は、あたかも書籍などにおいてページを捲る動作に類似するため、使用者に動作の違和感を与えることなくスムーズな画面切り換えを行うことができる。
【００１４】
例えば、上記表示装置は、第１面に前記表示部を有し、前記第１面と逆側の面に他の表示部を有する。また、上記表示装置は、前記カバーの前記表示部側の面には、他の表示部が配置されている。このように、２つの表示部を用いてもよい。
【００１５】
本発明に係る表示装置は、複数の画素電極を有する第１基板と、共通電極を有する第２基板との間に、帯電粒子を分散させた液体を封入し、前記共通電極と前記画素電極間に電圧を印加することにより、印加電圧の極性に応じて前記帯電粒子を移動させ表示を行う表示部と、前記表示部に供給する前記印加電圧の制御を行う駆動部と、前記表示部の状態を検出するセンサ部と、を有し、前記センサ部は、前記表示部を覆う動作を検出すると、検出信号を前記駆動部に送信し、前記駆動部は、前記検出信号を受信すると、それまで表示していた内容を表示領域全体に渡って消去し、その後新たな表示内容の書き込みを行うことを特徴とする。
【００１６】
かかる構成によれば、センサ部を含む前記表示部を覆う操作に対応して画面の切り換えを行うことができるため、使用者の不快感を低減できる。
【発明を実施するための最良の形態】
【００１７】
以下、本発明の実施の形態を図面を参照しながら詳細に説明する。なお、同一の機能を有するものには同一もしくは関連の符号を付し、その繰り返しの説明を省略する。
【００１８】
＜実施の形態１＞
（電気泳動表示装置の説明）
（アレイ基板の構成）
図１は、アクティブマトリクス基板の構成例を示す回路図である。図１に示すように、アクティブマトリクス基板は、複数のデータ線ＤＬと、複数の走査線ＳＬとを有し、各画素は、これらの交点にマトリクス状に配置される。この画素は、画素電極ＰＥ、トランジスタＴおよび保持容量Ｃｓを有している。画素電極ＰＥと共通電極ＣＥとの間には、電気泳動カプセル３が配置されている。例えば、データ線ＤＬはデータ線駆動回路により駆動され、走査線ＳＬは走査線駆動回路により駆動される。
【００１９】
図２は、電気泳動表示装置の構成例を示す断面図である。図２に示すように、アクティブマトリクス基板Ｓ１の画素電極ＰＥと、対向基板Ｓ２の共通電極ＣＥとの間には、電気泳動カプセル（層）３が配置されている。なお、上記トランジスタＴや保持容量Ｃｓは、アクティブマトリクス基板Ｓ１上に形成されているが、図２においては省略されている。
【００２０】
電気泳動カプセルは、電気泳動粒子（帯電粒子）を含有する分散液をカプセル本体（殻体）内に封入して構成されている。複数の電気泳動カプセルがバインダにより接着され層状となっている。
【００２１】
（装置の駆動方法）
例えば、図２に示す画素電極ＰＥと共通電極ＣＥとの間に電圧を印加すると、これらの間に生じる電界にしたがって、電気泳動粒子（着色粒子や白色粒子）は、いずれかの電極に向かって電気泳動する。
【００２２】
例えば、白色粒子として正荷電を有するものを用い、着色粒子（黒色粒子）として負荷電のものを用いた場合、上部電極を正電位とすると、白色粒子は、下部電極側に移動して、集まる。一方、着色粒子は、上部電極側に移動して、集まる。
【００２３】
逆に、上部電極を負電位とすると、白色粒子は、上部電極側に移動して集まる。一方、着色粒子は、下部電極側に移動して集まる。
【００２４】
よって、電気泳動粒子（着色粒子や白色粒子）の帯電量や、電極の極性、電極間の電位差等を適宜設定することにより、電気泳動装置の表示面側（ここでは、図２の上側）には、白色粒子および着色粒子の色の組み合わせや、電極に集合する粒子の数等に応じて、所望の情報（画像）が表示される。
【００２５】
（表示の書き換え方法）
図３〜図５は、電気泳動表示装置の書き換え動作を示す図である。なお、図１と対応する箇所には同様の符号を付しその説明を省略する。
【００２６】
ここでは、図３に示すように、現在表示されている画像を消去する際、全面白消去を行う。即ち、共通電極ＣＥを第１電圧（例えば、Ｈ＝１０Ｖ）とした状態で、画素電極ＰＥを全て第２電圧（例えば、Ｌ＝０Ｖ）として、共通電極ＣＥと画素電極ＰＥ間に電圧差を与え、表示内容を表示領域全体に渡って消去する。このときの階調を第一の階調（例えば、白）とする（全面白消去）。なお、全面黒消去を行う場合には、共通電極ＣＥを第２電圧（例えば、Ｌ＝０Ｖ）とした状態で、画素電極ＰＥを全て第１電圧（例えば、Ｈ＝１０Ｖ）とすればよい（図４）。
【００２７】
次いで、図５に示すように、共通電極ＣＥを第２電圧（例えば、Ｌ＝０Ｖ）とした状態で、所望の画素電極ＰＥに第１電圧（例えば、Ｈ＝１０Ｖ）を、それ以外の画素電極ＰＥには第２電圧（例えば、Ｌ＝０Ｖ）を印加する。
【００２８】
画素電極ＰＥに第１電圧（Ｈ＝１０Ｖ）を印加した画素では、共通電極ＣＥとの間に電圧差が発生し、表示が第一の階調（白）から第二の階調（例えば、黒）に変化する。第２電圧（Ｌ＝０Ｖ）を印加した画素では、共通電極ＣＥとの間に電圧差は発生しないので、表示は第一の階調（白）のままである。
【００２９】
以上の動作により表示の書き換え（消去および書き込み）が行われるが、残像の無い表示を得るには、前述した「全面白消去（図３）」と「書き込み（図５）」動作を１回行うだけでは不十分である。そこで、「全面白消去（図３）」と「全面黒消去（図４）」とを数回繰り返した後、「書き込み(図５）」を行うことで、残像を低減することができる。
【００３０】
しかしながら、上記全面白消去と全面黒消去とを繰り返すと、残像は少なくなるものの、表示画面が白くなったり黒くなったりする（フラッシングする）。その結果、使用者に不快感が生じるため、本発明においては、以下に示すように、画面の切り換え時に、画面を遮るものを配置するなどして、書き換え中の画面を見えないようにすることで、使用者への不快感を低減する。
【００３１】
（本実施の形態の電気泳動表示装置およびその書き換え操作の説明）
図６および７は、本実施の形態の電気泳動表示装置およびその書き換え操作を示す斜視図である。
【００３２】
図６（Ａ）に示すように、本実施の形態の電気泳動表示装置（以下、単に「装置」という場合がある。）１００は、表示部１０３、操作部１０５および収納部１０７を有する。
【００３３】
表示部１０３には、前述のアクティブマトリクス基板、電気泳動カプセル層および対向基板等が内蔵され、その外周部には、表示部１０３を駆動するための駆動回路（駆動部）、例えば、前述のデータ線駆動回路や走査線駆動回路を含む回路などが配置されている。
【００３４】
収納部１０７は、電気泳動表示装置を駆動するための電池、メモリや外部との接続を図る外部接続端子（例えば、ＵＳＢ端子など）などが内蔵され、例えば、装置側壁の扉の開閉により電池の取り外しや、外部との接続を図ることができる構成となっている。
【００３５】
操作部１０３は、電源、ページ送り、停止、ページ戻しなどの各種ボタン３１が配置されている。３３は、センサであり、装置の使用者の操作に対応して反応するよう設定される。具体的には、振動センサ、加速度センサ、光センサ、タッチセンサなどである。このセンサは、装置内に内蔵されていても、また、装置表面に露出していてもよい。
【００３６】
例えば、図６（Ｂ）に示すように、８ページの画像が表示されていた装置１００の表示部１０３が下側となるよう裏返す。ここで、センサ３３は表示部１０３を裏返す操作に対応して反応し、表示の書き換え（消去および書き込み）が行われる。例えば、センサ３３は、表示部１０３を裏返す操作に対応して反応して検出信号を上記駆動部に送信し、駆動部は、検出信号を受信すると、表示の書き換え（消去および書き込み）を行う。その後、図６（Ｃ）に示すように、再び表示部１０３を表に戻した際には、９ページの画像が表示されている。書き換えに要する時間は、例えば、０．５秒程度であるため、一連の操作が終わり、表示部１０３を表(上側）に戻した際には、書き換えが終了している。
【００３７】
センサ３３としては、前述したとおり振動センサや光センサ等を用いることができる。表示部１０３を裏返す操作により振動が生じる。この振動による振動センサの反応を利用することができる。また、表示部１０３を裏返す操作により表示部１０３の表面の光量が低減する。この光量の低減による光センサの反応を利用することができる。
【００３８】
このように、本実施の形態においては、表示部１０３を裏返す動作中、裏返している間および表に戻す動作中に画面の切り換えを行うことができるため、使用者の不快感を低減できる。
【００３９】
また、表示部１０３を裏返す操作は、あたかも書籍などにおいてページを捲る動作に類似するため、使用者に動作の違和感を与えることなくスムーズな画面切り換えを行うことができる。
【００４０】
また、図７に示すように、他のセンサとしてスイッチ３５を、装置１００の側壁、好ましくは、親指当接部近傍に設けてもよい。このスイッチ３５が入力されている場合に、上記操作が行われると、ページ戻しが行われるよう構成してもよい。
【００４１】
また、２つのセンサ３３を設け、第１センサをページ送り用、第２センサをページ戻し用のセンサとしてもよい。例えば、加速度センサを用い、装置１００を時計回りに回転させ裏返した場合には、第１センサが反応しページ送りが行われ、逆に、半時計回りに回転させた場合には、第２センサが反応しページ戻しが行われるよう構成してもよい。
【００４２】
また、電気泳動表示装置１００を両面表示とし、装置１００を裏返す操作とともに、画面が切り換わった他方の表示部が表面となるよう構成してもよい。
【００４３】
また、操作速度に応じて数ページ送り、数ページ戻りを設定してもよい。例えば、操作を素早くする、また、裏返している時間が長い等の場合には、複数ページの送り（又は戻し）を設定できる構成としてもよい。
【００４４】
＜実施の形態２＞
図８および図９は、本実施の形態の電気泳動表示装置およびその書き換え操作を示す斜視図である。本実施の形態においては、カバー(板状部材）を有する両面表示の電気泳動表示装置１００を用いる。
【００４５】
図８（Ａ）および図９（Ｂ）に示すように、装置１００の第１面（表面）に、第１表示部１０３ａ、操作部１０５ａおよび収納部１０７ａを有し、第２面（裏面）にも、第２表示部１０３ｂ、操作部１０５ｂおよび収納部１０７ｂを有している。また、装置１００の第１面（表面）側には第１カバー２００ａが設けられ、第２面（裏面）側には第２カバー２００ｂが設けられている。
【００４６】
例えば、図８（Ａ）に示すように、第１表示部１０３ａに８ページの画像が表示され、第１表示部１０３ａの右側に第１カバー２００ａがある状態から、第１カバー２００ａを閉じる（第１カバー２００ａを第１表示部１０３ａ上に被せる）。この第１カバー２００ａを閉じる操作に対応してセンサ３３ａが反応し、表示の書き換え（消去および書き込み）が行われる。例えば、センサ３３は、表示部１０３ａ上に第１カバー２００ａを閉じる操作に対応して反応して検出信号を上記駆動部に送信し、駆動部は、検出信号を受信すると、表示の書き換え（消去および書き込み）を行う。その後、図８（Ｃ）に示すように、再び第１カバー２００ａを開いた際には、９ページの画像が表示されている。
【００４７】
センサ３３としては、前述の光センサの他、タッチセンサを用いることができる。例えば、第１カバー２００ａを閉じる操作により第１表示部１０３ａの表面の光量が低減する。この光量の低減による光センサの反応を利用することができる。また、第１カバー２００ａを閉じ、センサ３３ａに第１カバー２００ａが接触することによりタッチセンサが反応する。この反応を利用することができる。なお、図８においては、収納部１０７ａが上側に突出しているが、下側に突出させてもよい。かかる構成によれば、センサ３３ａと第１カバー２００ａとが接触しやすくなる。また、カバー２００ａのセンサ３３ａとの当接部に突起を設け、これらの接触性を向上させてもよい。
【００４８】
このように、本実施の形態においては、カバー２００ａを閉じる動作中、カバーを閉じている間およびカバーを再び開く動作中に画面の切り換えを行うことができるため、使用者の不快感を低減できる。
【００４９】
また、カバーを開閉する操作は、あたかも書籍などにおいてページを捲る動作に類似するため、使用者に動作の違和感を与えることなくスムーズな画面切り換えを行うことができる。
【００５０】
また、図９（Ａ）に示すように、第１表示部１０３ａに８ページの画像が表示され、第１表示部１０３ａの右側に第１カバー２００ａがある状態において、裏面側の第２表示部１０３ｂに７ページの画像を準備しておいてもよい。この場合、図９（Ｂ）に示すように、装置１００を捲る（裏返す）操作をするだけで、前ページ（７ページ）を容易に確認することができる。
【００５１】
さらに、ページ戻しをする場合には、図９（Ｃ）に示すように、第２カバー２００ｂを閉じる（第２カバー２００ｂを第２表示部１０３ｂ上に被せる）操作を行い、これに対応してセンサ３３ｂが反応し、更なるページ戻し（表示の書き換え）が行われる。その後、図９（Ｄ）に示すように、再び第２カバー２００ｂを開いた際には、６ページの画像が表示されている。
【００５２】
このように、第１表示部１０３ａのセンサ３３ａをページ送り用と、第２表示部１０３ｂのセンサ３３ｂをページ戻し用としてもよい。
【００５３】
＜実施の形態３＞
図１０および図１１は、本実施の形態の電気泳動表示装置およびその書き換え操作を示す斜視図である。本実施の形態においては、片面表示の表示部（装置）を２つ用いる。図１０（Ａ）に示すように、図中左側に、第１表示部１０３ａ、操作部１０５ａおよび収納部１０７ａを有し、右側に、第２表示部１０３ｂ、操作部１０５ｂおよび収納部１０７ｂを有している。
【００５４】
例えば、図１０（Ａ）に示すように、左側の第１表示部１０３ａに９ページの画像が表示され、右側の第２表示部１０３ｂに１０ページの画像が表示されている状態から図１０（Ｂ）に示すように、各表示部を閉じる。この場合、第２表示部１０３ｂを第１表示部１０３ａ上に被せる。この各表示部（１０３ａ、１０３ｂ）を閉じる操作に対応してセンサ３３ｂが反応し、表示の書き換え（消去および書き込み）が行われる。例えば、センサ３３ｂは、第２表示部１０３ｂを第１表示部１０３ａ上に被せる操作に対応して反応して検出信号を上記駆動部に送信し、駆動部は、検出信号を受信すると、表示の書き換え（消去および書き込み）を行う。その後、図１０（Ｃ）に示すように、再び第２表示部１０３ｂを開いた際には、左側の第１表示部１０３ａに１１ページの画像が表示され、右側の第２表示部１０３ｂに１２ページの画像が表示されている。
【００５５】
センサ３３ｂとしては、例えば、前述の振動センサを用いることができる。例えば、第２表示部１０３ｂ側を閉じる操作により振動が生じる。この振動による振動センサの反応を利用することができる。
【００５６】
このように、本実施の形態においては、各表示部を閉じる動作中、表示部を閉じている間および表示部を再び開く動作中に画面の切り換えを行うことができるため、使用者の不快感を低減できる。
【００５７】
また、表示部を開閉する操作は、あたかも書籍などにおいてページを捲る動作に類似するため、使用者に動作の違和感を与えることなくスムーズな画面切り換えを行うことができる。
【００５８】
また、図１１（Ａ）に示すように、左側の第１表示部１０３ａに９ページの画像が表示され、右側の第２表示部１０３ｂに１０ページの画像が表示されている状態において、図１０の場合とは逆に、第１表示部１０３ａを第２表示部１０３ｂ上に被せることにより、各表示部を閉じる(図１１（Ｂ））。この操作に対応してセンサ３３ａが反応し、ページ戻し（表示の書き換え）を行ってもよい。その後、図１１（Ｃ）に示すように、再び第１表示部１０３ａを開いた際には、左側の第１表示部１０３ａに７ページの画像が表示され、右側の第２表示部１０３ｂに８ページの画像が表示されている。
【００５９】
このように、第２表示部１０３ｂのセンサ３３ｂをページ送り用と、第２表示部１０３ａのセンサ３３ａをページ戻し用としてもよい。
【００６０】
また、上記実施の形態１〜３において、装置やカバーに小型の発電器を内蔵させてもよい。装置を裏返す操作やカバーを閉じる操作に伴う運動エネルギーを充電し、補助電力として使用してもよい。また、カバーや装置を蝶番で接続する場合、当該蝶番中に小型の発電器を設け、蝶番の動作により発電させ、補助電力として使用してもよい。また、装置の表示部外周やカバーに太陽電池を設け、主電力や補助電力として使用してもよい。
【００６１】
＜実施の形態４＞
図１２は、本実施の形態の電気泳動表示装置およびその書き換え操作を示す斜視図である。本実施の形態においては、電気泳動表示装置１００を手で覆う動作に対応して、表示の書き換え（消去および書き込み）を行う。
【００６２】
例えば、８ページの画像が表示されていた装置の表示部１０３を手で覆いながら、書き換えボタン３７を押す（図１２）。この操作に対応して、表示の書き換え（消去および書き込み）が行われ、９ページの画像が表示される。書き換えボタン３７に変えてタッチセンサなどを用いてもよい。例えば、センサ部は、表示部１０３を覆う動作（例えば、接触）を検出すると、検出信号を上記駆動部に送信し、駆動部は、検出信号を受信すると、表示の書き換え（消去および書き込み）を行う。このように、表示部１０３を手で覆っている間に画面の切り換えを行ってもよい。
【００６３】
また、必然的に表示部１０３を手で覆うよう、書き換えボタン３７を表示部１０３の外周部に、２箇所以上設けてもよい。例えば、表示部の左側中央部（親指当接部）と、表示部１０３の上部中央部との２箇所に書き換えボタンを設けることで、画面の切り換え時に表示部１０３が手で覆われ、使用者の不快感を低減できる。
【００６４】
また、書き換えボタン３７として、ページ送り用、ページ戻り用のボタンを分けて設けてもよい。また、数ページ送り、数ページ戻りのボタンを併用してもよい。また、送り又は戻しのページ数をボタンを押す力や長さなどにより制御可能としてもよい。
【００６５】
なお、上記実施の形態においては、図３および図４に示す表示の書き換え方法を例に説明したが、当該書き換え方法に限定されるものではなく、例えば、同時書き込み方式、ラッチ回路を用いた方式又は共通電極の電位を変化させる書き込み方式など、種々の方式の書き換えに適用できる。特に、本発明は、フラッシングのみならず、画像の変化やその過程における不快感を低減する装置（方法）として広く電気泳動表示装置に適用することができる。
【００６６】
また、上記書き換え方法と図６に示す電源、ページ送り、停止、ページ戻しなどの各種ボタン３１による操作とを併用してもよい。例えば、電子図書(電子ブック）などコンテンツを画像表示する場合には、上記書き換え方法を採用し、他の情報を表示する場合には、ボタン操作とするなど複数の操作モードを切り換えて使用できる構成としてもよい。
【００６７】
また、画像の表示方向（縦書き、横書き）や画面の見方（縦置き、横置き）などは適宜変更可能であり、装置の回転方向（例えば、右から左へ、手前から奥へなど）も適宜変更可能である。
【００６８】
このように、上記実施の形態を通じて説明された実施例や応用例は、用途に応じて適宜に組み合わせて、又は変更若しくは改良を加えて用いることができ、本発明は上述した実施の形態の記載に限定されるものではない。
【図面の簡単な説明】
【００６９】
【図１】アクティブマトリクス基板の構成例を示す回路図である。
【図２】電気泳動表示装置の構成例を示す断面図である。
【図３】電気泳動表示装置の書き換え動作を示す図である。
【図４】電気泳動表示装置の書き換え動作を示す図である。
【図５】電気泳動表示装置の書き換え動作を示す図である。
【図６】実施の形態１の電気泳動表示装置およびその書き換え操作を示す斜視図である。
【図７】実施の形態１の電気泳動表示装置およびその書き換え操作を示す斜視図である。
【図８】実施の形態２の電気泳動表示装置およびその書き換え操作を示す斜視図である。
【図９】実施の形態２の電気泳動表示装置およびその書き換え操作を示す斜視図である。
【図１０】実施の形態３の電気泳動表示装置およびその書き換え操作を示す斜視図である。
【図１１】実施の形態３の電気泳動表示装置およびその書き換え操作を示す斜視図である。
【図１２】実施の形態４の電気泳動表示装置およびその書き換え操作を示す斜視図である。
【符号の説明】
【００７０】
３…電気泳動カプセル（層）、３３、３３ａ、３３ｂ…センサ、３５…スイッチ、３７…書き換えボタン、１００…電気泳動表示装置、１０３、１０３ａ、１０３ｂ…表示部、１０５、１０５ａ、１０５ｂ…操作部、１０７、１０７ａ、１０７ｂ…収納部、２００ａ、２００ｂ…カバー、ＣＥ…共通電極、Ｃｓ…保持容量、ＤＬ…データ線、ＰＥ…画素電極、ＳＬ…走査線、Ｓ１…アクティブマトリクス基板、Ｓ２…対向基板、Ｔ…トランジスタ
【図２】
2009251009.tif 000003
【図６】
2009251009.tif 000004
【図７】
2009251009.tif 000005
【図８】
2009251009.tif 000006
【図９】
2009251009.tif 000007
【図１０】
2009251009.tif 000008
【図１１】
2009251009.tif 000009
【図１２】
2009251009.tif 000010
【図１】
2009251009.tif 000011
【図３】
2009251009.tif 000012
【図４】
2009251009.tif 000013
【図５】
2009251009.tif 000014